(57)【要約】【課題】電力使用量が類似する需要家を特定できる需要家特定プログラムを提供する。【解決手段】需要家特定プログラムは、第１の時間帯と、第１の時間帯における電力使用量の推移の指定とを受け付け、複数の需要家の電力使用量の使用履歴を記憶した記憶部を参照して、第１の時間帯において推移との類似性が所定の類似範囲に属する電力使用量の推移を示す需要家を特定する、処理をコンピュータに実行させる。特に、需要家特定プログラムは、特定した需要家に対応する電力使用量の推移を、指定された第１の時間帯と、指定された第１の時間帯とは異なる第２の時間帯とについて表示する、ことを特徴とする。【選択図】図１２
2018036854.tif 000002
【特許請求の範囲】
【請求項１】
第１の時間帯と、前記第１の時間帯における電力使用量の推移の指定とを受け付け、
複数の需要家の電力使用量の使用履歴を記憶した記憶部を参照して、前記第１の時間帯において前記推移との類似性が所定の類似範囲に属する電力使用量の推移を示す需要家を特定する、
処理をコンピュータに実行させることを特徴とする需要家特定プログラム。
【請求項２】
特定した前記需要家に対応する電力使用量の推移を、指定された前記第１の時間帯と、指定された前記第１の時間帯とは異なる第２の時間帯とについて表示する、ことを特徴とする請求項１に記載の需要家特定プログラム。
【請求項３】
特定した前記需要家に対応する前記第２の時間帯を含む電力使用量の推移に基づいて、特定した前記需要家に対応する前記第２の時間帯を含む電力使用量の推移を代表する推移を算出し、算出した前記代表する推移を表示する、ことを特徴とする請求項２に記載の需要家特定プログラム。
【請求項４】
算出した前記代表する推移は、特定した前記需要家に対応する電力使用量の推移と区別可能に表示する、ことを特徴とする請求項３に記載の需要家特定プログラム。
【請求項５】
前記第１の時間帯と前記第２の時間帯は、それぞれ１日のうちの一部の時間帯である、ことを特徴とする請求項２乃至４のいずれか１項に記載の需要家特定プログラム。
【請求項６】
前記第１の時間帯は、１日のうちの離間した複数の時間帯を含み、前記第２の時間帯は、前記離間した複数の時間帯と異なる時間帯に対応する、ことを特徴とする請求項２乃至５のいずれか１項に記載の需要家特定プログラム。
【請求項７】
前記第２の時間帯において、算出した前記代表する推移との間の類似度が所定の範囲の推移に対応する需要家を特定する、ことを特徴とする請求項３に記載の需要家特定プログラム。
【請求項８】
算出した前記代表する推移との間の類似度の指定に応じて、前記第２の時間帯において算出した前記代表する推移との間の類似度が指定された類似度以上の類似度の推移に対応する需要家の数を特定する、ことを特徴とする請求項３に記載の需要家特定プログラム。
【請求項９】
特定の時刻帯における電力使用量と、対象期間との指定を受け付けると、電力使用者に対応付けて時刻帯毎の電力使用量の履歴情報を記憶した記憶部を参照し、前記対象期間に対応する電力使用量の履歴情報に基づいて、電力使用者毎に前記対象期間に対応する電力使用量の代表値を算出し、
算出した前記電力使用量の代表値のうち、前記特定の時刻帯の電力使用量と所定の類似範囲に含まれる電力使用量の代表値のみに基づいて、モデル電力使用量を算出し、
算出した前記モデル電力使用量に応じた電力使用者を抽出する、
処理をコンピュータに実行させることを特徴とする抽出プログラム。
【請求項１０】
前記モデル電力使用量は、前記電力使用者毎に算出された前記対象期間に対応する電力使用量の代表値の平均である、ことを特徴とする請求項９に記載の抽出プログラム。
【請求項１１】
前記モデル電力使用量は、前記電力使用者毎に算出された前記対象期間に対応する電力使用量の代表値を複数のグループに分類し、グループ毎に算出される、ことを特徴とする請求項９に記載の抽出プログラム。
【請求項１２】
第１の時間帯と、前記第１の時間帯における電力使用量の推移の指定とを受け付け、
複数の需要家の電力使用量の使用履歴を記憶した記憶部を参照して、前記第１の時間帯において前記推移との類似性が所定の類似範囲に属する電力使用量の推移を示す需要家を特定する、
処理をコンピュータが実行することを特徴とする需要家特定方法。
【請求項１３】
第１の時間帯と、前記第１の時間帯における電力使用量の推移の指定とを受け付け、
複数の需要家の電力使用量の使用履歴を記憶した記憶部を参照して、前記第１の時間帯において前記推移との類似性が所定の類似範囲に属する電力使用量の推移を示す需要家を特定する、
処理を実行する処理部を備える、ことを特徴とする需要家特定装置。
【発明の詳細な説明】
【技術分野】
【０００１】
本件は、需要家特定プログラム、抽出プログラム、需要家特定方法、及び需要家特定装置に関する。
【背景技術】
【０００２】
電力需要を分析するための種々の技術が知られている（例えば特許文献１参照）。
【先行技術文献】
【特許文献】
【０００３】
【特許文献１】特開２００９−２７７１３６号公報
【発明の概要】
【発明が解決しようとする課題】
【０００４】
ところで、電気事業者は電力需要が少ない夜間や深夜などの時間帯に電力を大量に使用する需要家を新たに獲得し、電力需要の増加を図ろうとしている。例えば電気事業者が獲得を望む需要家と電力使用量が類似する需要家を特定できれば、電気事業者は特定した需要家に対する料金メニューを作成したり、その料金メニューによる採算性を評価したりして、需要家を新たに獲得する機会に繋げることができる。
【０００５】
そこで、１つの側面では、電力使用量が類似する需要家を特定できる需要家特定プログラム、抽出プログラム、需要家特定方法、及び需要家特定装置を提供することを目的とする。
【課題を解決するための手段】
【０００６】
本明細書に開示の需要家特定プログラムは、第１の時間帯と、前記第１の時間帯における電力使用量の推移の指定とを受け付け、複数の需要家の電力使用量の使用履歴を記憶した記憶部を参照して、前記第１の時間帯において前記推移との類似性が所定の類似範囲に属する電力使用量の推移を示す需要家を特定する、処理をコンピュータに実行させることを特徴とする需要家特定プログラムである。
【０００７】
本明細書に開示の抽出プログラムは、特定の時刻帯における電力使用量と、対象期間との指定を受け付けると、電力使用者に対応付けて時刻帯毎の電力使用量の履歴情報を記憶した記憶部を参照し、前記対象期間に対応する電力使用量の履歴情報に基づいて、電力使用者毎に前記対象期間に対応する電力使用量の代表値を算出し、算出した前記電力使用量の代表値のうち、前記特定の時刻帯の電力使用量と所定の類似範囲に含まれる電力使用量の代表値のみに基づいて、モデル電力使用量を算出し、算出した前記モデル電力使用量に応じた電力使用者を抽出する、処理をコンピュータに実行させることを特徴とする抽出プログラムである。
【０００８】
本明細書に開示の需要家特定方法は、第１の時間帯と、前記第１の時間帯における電力使用量の推移の指定とを受け付け、複数の需要家の電力使用量の使用履歴を記憶した記憶部を参照して、前記第１の時間帯において前記推移との類似性が所定の類似範囲に属する電力使用量の推移を示す需要家を特定する、処理をコンピュータが実行することを特徴とする需要家特定方法である。
【０００９】
本明細書に開示の需要家特定装置は、第１の時間帯と、前記第１の時間帯における電力使用量の推移の指定とを受け付け、複数の需要家の電力使用量の使用履歴を記憶した記憶部を参照して、前記第１の時間帯において前記推移との類似性が所定の類似範囲に属する電力使用量の推移を示す需要家を特定する、処理を実行する処理部を備える、ことを特徴とする需要家特定装置である。
【発明の効果】
【００１０】
本明細書に開示の需要家特定プログラム、抽出プログラム、需要家特定方法、及び需要家特定装置によれば、電力使用量が類似する需要家を特定することができる。
【図面の簡単な説明】
【００１１】
【図１】図１は需要家特定システムの一例を説明するための図である。
【図２】図２はサーバ装置のハードウェア構成の一例である。
【図３】図３は端末装置及びサーバ装置の機能ブロック図の一例である。
【図４】図４（ａ）はモデルＬＣ記憶部の一例である。図４（ｂ）は実績ＬＣ記憶部の一例である。
【図５】図５は代表ＬＣ記憶部の一例である。
【図６】図６は端末装置の動作の一例を示すフローチャートである。
【図７】図７はサーバ装置の動作の一例を示すフローチャートである。
【図８】図８はモデルＬＣ作成画面の一例である。
【図９】図９は端末装置の動作の他の一例を示すフローチャートである。
【図１０】図１０はサーバ装置の動作の他の一例を示すフローチャートである。
【図１１】図１１は代表ＬＣ作成画面の一例である。
【図１２】図１２はモデルＬＣと需要家別平均実績ＬＣの特徴の比較について説明する図である。
【図１３】図１３は代表ＬＣの一例である。
【図１４】図１４はモデルＬＣの一例である。
【図１５】図１５はモデルＬＣの他の一例である。
【図１６】図１６は代表ＬＣと需要家別平均実績ＬＣのマッチングについて説明する図である。
【図１７】図１７は代表ＬＣのマッチング条件及びマッチング基準について説明する図である。
【発明を実施するための形態】
【００１２】
以下、本件を実施するための形態について図面を参照して説明する。
【００１３】
図１は需要家特定システムＳの一例を説明するための図である。需要家特定システムＳは個人需要家を特定するコンピュータシステムである。需要家特定システムＳは端末装置１００と需要家特定装置としてのサーバ装置２００を備えている。端末装置１００は例えば電気事業者の施設Ｘ内に設置される。電気事業者としては既存の電力会社である一般電気事業者のほか、電力小売自由化に伴い電力小売事業に新たに参入する新電力会社も含まれる。図１では、端末装置１００の一例としてPersonal Computer（ＰＣ）が示されているが、タブレット端末やスマートフォンといったスマートデバイスであってもよい。
【００１４】
サーバ装置２００は例えばクラウドＣＬ上のデータセンターＤＣ内に設置される。尚、図１では複数台のサーバ装置２００が示されているが、サーバ装置２００は１台であってもよい。また、サーバ装置２００をデータセンターＤＣ内に設置せずに、電気事業者の施設Ｘ内に設置してもよい。端末装置１００とサーバ装置２００は通信ネットワークＮＷを介して接続されている。通信ネットワークＮＷとしては例えばインターネットやLocal Area Network（ＬＡＮ）などがある。
【００１５】
端末装置１００はサーバ装置２００から送信された各種のデータを受け付けたり、サーバ装置２００に各種のデータを送信したりする。例えばサーバ装置２００に対して端末装置１００が所定の画面の表示を要求する表示要求データを送信すると、サーバ装置２００は表示要求データを受け付ける。サーバ装置２００は表示要求データを受け付けると、表示要求データに応じた画面に関する画面データを端末装置１００に向けて送信する。端末装置１００はサーバ装置２００から送信された画面データを受信すると、表示要求データに応じた画面を表示する。その他、サーバ装置２００は種々のデータ処理を実行するが、その詳細については後述する。以下、上述した端末装置１００とサーバ装置２００のそれぞれの構成について図面を参照しながら詳しく説明する。
【００１６】
図２はサーバ装置２００のハードウェア構成の一例である。尚、端末装置１００については基本的にサーバ装置２００と同様の構成であるため、説明を省略する。
【００１７】
サーバ装置２００は、少なくともCentral Processing Unit（ＣＰＵ）２００Ａ、Random Access Memory（ＲＡＭ）２００Ｂ、Read Only Memory（ＲＯＭ）２００Ｃ、及びネットワークＩ／Ｆ（インタフェース）２００Ｄを含んでいる。サーバ装置２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。少なくともＣＰＵ２００ＡとＲＡＭ２００Ｂとが協働することによってコンピュータが実現される。
【００１８】
入力Ｉ／Ｆ２００Ｆには、入力装置７１０が接続される。入力装置７１０としては、例えばキーボードやマウスなどがある。
出力Ｉ／Ｆ２００Ｇには、表示装置７２０が接続される。表示装置７２０としては、例えば液晶ディスプレイがある。
入出力Ｉ／Ｆ２００Ｈには、半導体メモリ７３０が接続される。半導体メモリ７３０としては、例えばUniversal Serial Bus（ＵＳＢ）メモリやフラッシュメモリなどがある。入出力Ｉ／Ｆ２００Ｈは、半導体メモリ７３０に記憶されたプログラムやデータを読み取る。
入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００１９】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。
ネットワークＩ／Ｆ２００Ｄは、例えばポートとPhysical Layer Chip（ＰＨＹチップ）とを備えている。サーバ装置２００は、ネットワークＩ／Ｆ２００Ｄを介して通信ネットワークＮＷと接続される。
【００２０】
上述したＲＡＭ２００Ｂには、ＲＯＭ２００ＣやＨＤＤ２００Ｅに記憶されたプログラムがＣＰＵ２００Ａによって格納される。ＲＡＭ２００Ｂには、可搬型記録媒体７４０に記録されたプログラムがＣＰＵ２００Ａによって格納される。格納されたプログラムをＣＰＵ２００Ａが実行することにより、サーバ装置２００は後述する各種の機能を実現し、また、後述する各種の処理を実行する。尚、プログラムは後述するフローチャートに応じたものとすればよい。
【００２１】
次に、図３から図５までを参照して、端末装置１００及びサーバ装置２００が実現する各機能について説明する。
【００２２】
図３は端末装置１００及びサーバ装置２００の機能ブロック図の一例である。図４（ａ）はモデルＬＣ記憶部２１０の一例である。図４（ｂ）は実績ＬＣ記憶部２２０の一例である。図５は代表ＬＣ記憶部２３０の一例である。
【００２３】
まず、端末装置１００について説明する。端末装置１００は、図３に示すように、入力装置７１０、表示装置７２０、及び制御装置７５０を備えている。特に、制御装置７５０はファイル記憶部７５１、通信部７５２、及び制御部７５３を含んでいる。尚、ファイル記憶部７５１は例えば上述したＨＤＤ２００Ｅによって実現される。通信部７５２は例えば上述したネットワークＩ／Ｆ２００Ｄによって実現される。制御部７５３は例えば上述したＣＰＵ２００Ａ及びＲＡＭ２００Ｂによって実現される。
【００２４】
ファイル記憶部７５１はサーバ装置２００から送信された電子ファイル（以下、単にファイルという）や制御装置７５０にインストールされたファイルを記憶する。ファイル記憶部７５１が記憶するファイルには、データファイルだけでなくプログラムファイルも含まれる。尚、詳細は後述するが、ファイル記憶部７５１は電気事業者が獲得を望む需要家の特徴として指定したLoad Curve（ＬＣ：電力負荷曲線）のモデル（以下、モデルＬＣという）を表すデータを含むファイルを記憶する。ＬＣは電力使用量の推移を表している。
【００２５】
通信部７５２は端末装置１００とサーバ装置２００との通信を制御する。例えば、通信部７５２はサーバ装置２００から送信されたファイルやデータを受信したり、サーバ装置２００に対して表示要求データを送信したりする。制御部７５３は端末装置１００の全体の動作を制御する。例えば、制御部７５３は入力装置７１０から入力された指示を受け付けると、指示の内容に応じて表示装置７２０の表示内容を変更したり、通信部７５２に表示要求データや各種のデータを送信させたりする。例えば、制御部７５３は通信部７５２がサーバ装置２００から送信されたファイルを受信すると、受信したファイルをファイル記憶部７５１に格納する。その他、制御部７５３は種々のデータ処理を実行する。
【００２６】
次に、サーバ装置２００について説明する。サーバ装置２００は、図３に示すように、モデルＬＣ記憶部２１０、実績ＬＣ記憶部２２０、及び代表ＬＣ記憶部２３０を備えている。また、サーバ装置２００は、処理部としてのモデルＬＣ作成部２４０、代表ＬＣ作成部２５０、及び類似需要家特定部２６０を備えている。
【００２７】
尚、モデルＬＣ記憶部２１０、実績ＬＣ記憶部２２０、及び代表ＬＣ記憶部２３０は例えば上述したＨＤＤ２００Ｅによって実現される。モデルＬＣ作成部２４０、代表ＬＣ作成部２５０、及び類似需要家特定部２６０は例えば上述したＣＰＵ２００Ａ及びＲＡＭ２００Ｂによって実現される。また、モデルＬＣ記憶部２１０から類似需要家特定部２６０までの一部は端末装置１００が備えていてもよい。さらに、サーバ装置２００に代えてＤＢサーバ装置とアプリケーションサーバ装置を用意し、ＤＢサーバ装置がモデルＬＣ記憶部２１０から代表ＬＣ記憶部２３０までを備え、アプリケーションサーバ装置がモデルＬＣ作成部２４０から類似需要家特定部２６０までを備えていてもよい。
【００２８】
モデルＬＣ記憶部２１０はモデルＬＣのデータ（以下、モデルＬＣデータという）を記憶する。モデルＬＣデータはモデルＬＣを表すデータである。モデルＬＣ記憶部２１０は、図４（ａ）に示すように、複数のモデルＬＣテーブルＴ１によりモデルＩＤ毎にモデルＬＣデータを管理して記憶する。モデルＬＣテーブルＴ１は、モデルＩＤ、モデルＬＣ名、時刻帯毎の電力量を構成要素として含んでいる。モデルＩＤはモデルＬＣデータを識別する識別情報を表している。モデルＬＣ名はモデルＬＣの名称を表している。電力量は電力使用量（ｋＷｈ）を表している。例えば、時刻「００：００」から時刻「０：３０」までを表す時刻帯「００：３０」には電力使用量「１．１０（ｋＷｈ）」が登録されている。例えば、時刻「１２：００」から時刻「１２：３０」までを表す時刻帯「１２：３０」には電力使用量が登録されていない（又はＮＵＬＬが登録されている）。このように、モデルＬＣデータでは、電力使用量が登録された時刻帯と電力使用量が登録されていない時刻帯が混在する。詳細は後述するが、電力使用量が登録された時刻帯の集合を第１の時間帯といい、電力使用量が登録されていない時刻帯の集合を第２の時間帯という。第１の時間帯と第２の時間帯はそれぞれ１日のうちの一部の時間帯を表している。例えば、第１の時間帯は１日のうちの離間した複数の時間帯を含み、第２の時間帯は離間した複数の時間帯と異なる時間帯に対応する。
【００２９】
実績ＬＣ記憶部２２０は実績ＬＣのデータ（以下、実績ＬＣデータという）を記憶する。実績ＬＣデータは需要家が実際に使用した電力使用量の実績に関するＬＣを表すデータである。実績ＬＣ記憶部２２０は、図４（ｂ）に示すように、複数の実績ＬＣテーブルＴ２により需要家ＩＤ毎の実績ＬＣデータを１日毎に管理して記憶する。すなわち、実績ＬＣ記憶部２２０は複数の需要家の実績ＬＣデータを１日単位で複数日分記憶する。実績ＬＣテーブルＴ２は、需要家ＩＤ、需要家名、年月日、時刻帯毎の電力量を構成要素として含んでいる。需要家ＩＤは需要家を識別する識別情報を表している。需要家名は需要家の氏名を表している。年月日は電力使用年月日を表している。電力量は上述したように電力使用量（ｋＷｈ）を表している。上述したモデルＬＣデータと異なり、実績ＬＣデータでは原則として全ての時刻帯に電力使用量が登録されており、電力使用量が登録されていない時刻帯は存在しない。ただし、実績ＬＣデータは、電力使用量が登録されていない時刻帯が存在する場合もある。このように、実績ＬＣ記憶部２２０は複数の需要家の電力使用量の使用履歴を記憶している。
【００３０】
代表ＬＣ記憶部２３０は代表ＬＣのデータ（以下、代表ＬＣデータという）を記憶する。代表ＬＣデータは上述した第１の時間帯においてモデルＬＣデータと類似した特徴を有する実績ＬＣデータの代表値を表すデータである。代表値は、例えば、平均値であっても良い。代表ＬＣ記憶部２３０は、図５に示すように、代表ＬＣテーブルＴ３により代表ＩＤ毎に代表ＬＣデータを管理して記憶する。尚、詳細は後述するが、複数の代表ＬＣデータが作成された場合、代表ＬＣ記憶部２３０は作成された代表ＬＣデータの数に応じた代表ＬＣテーブルＴ３により代表ＬＣデータを管理して記憶してもよい。代表ＬＣテーブルＴ３は、代表ＩＤ、代表ＬＣ名、年月日、時刻帯毎の電力量を構成要素として含んでいる。代表ＩＤは代表ＬＣデータを識別する識別情報を表している。代表ＬＣ名は代表ＬＣの名称を表している。年月日は代表ＬＣデータを作成する際に設定された作成年度と任意の月日（ＭＭＤＤ）を表している。電力量は上述したように電力使用量（ｋＷｈ）を表している。上述した実績ＬＣデータと同様に、実績ＬＣデータに基づいて代表ＬＣデータが作成されているため、代表ＬＣデータでは原則として全ての時刻帯に電力使用量が登録されており、電力使用量が登録されていない時刻帯は基本的に存在しない。
【００３１】
図３に戻り、モデルＬＣ作成部２４０はモデルＬＣを作成する。より詳しくは、モデルＬＣ作成部２４０は上述した第１の時間帯とその第１の時間帯における電力使用量の指定を受け付けると、受け付けた第１の時間帯及び電力使用量の指定に基づいて、モデルＬＣを作成する。また、モデルＬＣ作成部２４０は当該指定を受け付けると、受け付けた第１の時間帯に属する各時刻帯とその時刻帯の電力使用量を対応づけてモデルＬＣ記憶部２１０に格納する。これにより、モデルＬＣ記憶部２１０はモデルＬＣデータを記憶する。
【００３２】
代表ＬＣ作成部２５０は代表ＬＣを作成する。より詳しくは、代表ＬＣ作成部２５０はモデルＬＣデータを含むファイル（以下、モデルＬＣファイルという）と後述する設定データを受け付けると、実績ＬＣ記憶部２２０から設定データに応じた実績ＬＣデータを抽出して需要家毎に平均化し、モデルＬＣファイルに含まれるモデルＬＣデータと需要家毎に平均化した実績ＬＣデータとを第１の時間帯に限定して比較する。そして、代表ＬＣ作成部２５０は第１の時間帯においてモデルＬＣデータと特徴が類似する平均化した実績ＬＣデータを需要家毎に抽出し、抽出した需要家毎の実績ＬＣデータの平均値を算出することにより、代表ＬＣデータを作成する。例えば代表ＬＣ作成部２５０は、抽出した実績ＬＣデータの平均値を時間帯毎に算出し、代表ＬＣデータを作成しても良い。これにより、複数の時間帯のグループに分類された代表ＬＣデータが得られる。代表ＬＣ作成部２５０は代表ＬＣデータを作成すると、作成した代表ＬＣデータを代表ＬＣ記憶部２３０に格納する。
また、代表ＬＣ作成部２５０は、第１の時間帯においてモデルＬＣデータと特徴が類似する平均化した実績ＬＣデータを抽出する際に、需要家の居住地域や家族構成等を含む需要家の条件の指定を受け付け、第１の時間帯においてモデルＬＣデータと特徴が類似し、かつ、受け付けた条件に合致する需要家の平均化した実績ＬＣデータを抽出しても良い。この場合、サーバ装置２００は、需要家ＩＤと対応付けて、需要家の居住地域、家族構成を記憶した需要家情報記憶部を有しても良い。
【００３３】
類似需要家特定部２６０は代表ＬＣデータと類似する実績ＬＣデータと関連付けられた需要家を抽出して特定する。より詳しくは、類似需要家特定部２６０は代表ＬＣ記憶部２３０から代表ＬＣデータを取得するとともに、実績ＬＣ記憶部２２０から実績ＬＣデータを取得する。類似需要家特定部２６０は代表ＬＣデータと実績ＬＣデータを取得すると、代表ＬＣデータと類似する実績ＬＣデータと関連付けられた需要家ＩＤ及び需要家名を抽出して特定する。類似需要家特定部２６０は需要家ＩＤ及び需要家名を特定すると、需要家ＩＤ及び需要家名を類似需要家として代表ＬＣデータ及び実績ＬＣデータとともに端末装置１００に向けて送信する。端末装置１００は類似需要家、代表ＬＣデータ及び実績ＬＣデータを受信すると、類似需要家、代表ＬＣデータによって表現される代表ＬＣ及び実績ＬＣデータによって表現される実績ＬＣを表示する。これにより、電気事業者の担当者はモデルＬＣに応じた類似需要家を確認することができる。
【００３４】
続いて、図６から図８までを参照して、端末装置１００とサーバ装置２００のモデルＬＣの作成に関するそれぞれの動作について説明する。
【００３５】
図６は端末装置１００の動作の一例を示すフローチャートである。図７はサーバ装置２００の動作の一例を示すフローチャートである。図８はモデルＬＣ作成画面の一例である。
【００３６】
まず、図６に示すように、端末装置１００の制御部７５３は入力装置７１０からモデルＬＣ作成画面を起動する指示を受け付けるまで待機する（ステップＳ１０１：ＮＯ）。制御部７５３はモデルＬＣ作成画面を起動する指示を受け付けると（ステップＳ１０１；ＹＥＳ）、モデルＬＣ作成画面を要求する第１の表示要求データを生成し、通信部７５２は制御部７５３が生成した第１の表示要求データをサーバ装置２００に向けて送信する。
【００３７】
一方、図７に示すように、サーバ装置２００のモデルＬＣ作成部２４０はモデルＬＣ作成画面が要求されるまで待機する（ステップＳ２０１：ＮＯ）。モデルＬＣ作成部２４０はモデルＬＣ作成画面が要求されると（ステップＳ２０１：ＹＥＳ）、第１の画面データを送信する（ステップＳ２０２）。より詳しくは、モデルＬＣ作成部２４０は端末装置１００から送信された第１の表示要求データを受け付けると、端末装置１００に向けて第１の画面データを送信する。第１の画面データはモデルＬＣ作成画面を表すデータである。ステップＳ２０２の処理が完了すると、モデルＬＣ作成部２４０は電力量データを受け付けるまで待機する（ステップＳ２０３：ＮＯ）。
【００３８】
図６に戻り、端末装置１００の通信部７５２はサーバ装置２００から送信された第１の画面データを受信すると（ステップＳ１０２）、表示装置７２０はモデルＬＣ作成画面を表示する（ステップＳ１０３）。より詳しくは、通信部７５２が第１の画面データを受信すると、制御部７５３は通信部７５２が受信した第１の画面データに基づいて表示装置７２０にモデルＬＣ作成画面を表示させる。これにより、図８に示すように、表示装置７２０はモデルＬＣ作成画面を表示する。ステップＳ１０３の処理が完了すると、制御部７５３は電力使用量が入力されるまで待機する（ステップＳ１０４：ＮＯ）。
【００３９】
ここで、モデルＬＣ作成画面は、図８に示すように、第１の領域ＡＲ１と第２の領域ＡＲ２と第３の領域ＡＲ３とを含んでいる。第１の領域ＡＲ１は３０分刻みの複数の時刻帯と関連付けられた複数の入力欄Ｂｘ１を含んでいる。第２の領域はモデルＬＣを表示する領域である。第３の領域ＡＲ３はモデルＬＣのダウンロードを指示する領域である。尚、第１の領域ＡＲ１及び第２の領域ＡＲ２における時刻帯の一部は省略されて示されている。電気事業者の担当者は表示装置７２０がモデルＬＣ作成画面を表示すると、入力装置７１０を通じて入力欄Ｂｘ１の一部又は全部に電力使用量を表す数値を入力する。
【００４０】
図６に戻り、制御部７５３は電力使用量が入力されたと判断すると（ステップＳ１０４：ＹＥＳ）、通信部７５２は入力された電力使用量を表す電力使用量データをサーバ装置２００に向けて送信する（ステップＳ１０５）。図７に移り、サーバ装置２００のモデルＬＣ作成部２４０は電力使用量データを受け付けると（ステップＳ２０３：ＹＥＳ）、モデルＬＣデータを作成する（ステップＳ２０４）。より詳しくは、モデルＬＣ作成部２４０は電力使用量データを受け付けると、受け付けた電力使用量データとその電力使用量データの時刻帯とを対応付けたモデルＬＣデータを作成し、作成したモデルＬＣデータをモデルＬＣ記憶部２１０に格納する。ステップＳ２０４の処理が完了すると、モデルＬＣ作成部２４０は作成したモデルＬＣデータを端末装置１００に向けて送信し（ステップＳ２０５）、ダウンロードが要求されるまで待機する（ステップＳ２０６：ＮＯ）。尚、ダウンロードが要求されない場合、ステップＳ２０３の処理に戻り、モデルＬＣ作成部２４０は再び電力使用量データを受け付けるまで待機する。
【００４１】
図６に戻り、端末装置１００の通信部７５２はサーバ装置２００から送信されたモデルＬＣデータを受信すると（ステップＳ１０６）、表示装置７２０はモデルＬＣを表示する（ステップＳ１０７）。より詳しくは、通信部７５２がモデルＬＣデータを受信すると、制御部７５３は通信部７５２が受信したモデルＬＣデータに基づいて表示装置７２０にモデルＬＣを表示させる。これにより、図８に示すように、表示装置７２０は第２の表示領域ＡＲ２における第１の時間帯にモデルＬＣを表示する。
【００４２】
ステップＳ１０７の処理が完了すると、制御部７５３はダウンロードボタンが押下されたか否かを判断する（ステップＳ１０８）。制御部７５３はダウンロードボタンが押下されていないと判断した場合（ステップＳ１０８：ＮＯ）、ステップＳ１０４の処理に戻る。したがって、図８に示すモデルＬＣ作成画面においてダウンロードボタンＢｔ１が押下されるまで、電力使用量を入力欄Ｂｘ１に入力することができる。このため、第１の表示領域ＡＲ１の複数の入力欄Ｂｘ１に電力使用量を表す数値が入力される度に電力使用量データが送信される。この結果、モデルＬＣ作成部２４０は電力使用量データを受け付ける度に、モデルＬＣデータを作成し、作成したモデルＬＣデータをモデルＬＣ記憶部２１０に格納するとともに、モデルＬＣデータを端末装置１００に向けて送信する。
【００４３】
制御部７５３はダウンロードボタンが押下されたと判断した場合（ステップＳ１０８：ＹＥＳ）、モデルＬＣファイルのダウンロード要求データを発行し、通信部７５２はサーバ装置２００に向けてダウンロード要求データを送信する。そして、サーバ装置２００のモデルＬＣ作成部２４０はダウンロード要求データを受信すると、ダウンロードが要求されたと判断し（ステップＳ２０６：ＹＥＳ）、モデルＬＣファイルを作成する（ステップＳ２０７）。例えばモデルＬＣ作成部２４０はモデルＬＣ記憶部２１０に記憶された１日分のモデルＬＣデータを取得し、モデルＬＣファイルを作成する。
【００４４】
ステップＳ２０７の処理が完了すると、モデルＬＣ作成部２４０はモデルＬＣファイルを端末装置１００に向けて送信し（ステップＳ２０８）、処理を終了する。モデルＬＣ作成部２４０がモデルＬＣファイルを送信すると、図６に示すように、通信部７５２はモデルＬＣファイルを受信する（ステップＳ１０９）。通信部７５２がモデルＬＣファイルを受信すると、制御部７５３は通信部７５２が受信したモデルＬＣファイルをファイル記憶部７５１に格納し、処理を終了する。
【００４５】
続いて、図９から図１７までを参照して、端末装置１００とサーバ装置２００の代表ＬＣの作成に関するそれぞれの動作について説明する。
【００４６】
図９は端末装置１００の動作の他の一例を示すフローチャートである。図１０はサーバ装置２００の動作の他の一例を示すフローチャートである。図１１は代表ＬＣ作成画面の一例である。図１２はモデルＬＣと需要家別平均実績ＬＣの特徴の比較について説明する図である。
【００４７】
図１３は代表ＬＣの一例である。図１４はモデルＬＣの一例である。図１５はモデルＬＣの他の一例である。図１６は代表ＬＣと需要家別平均実績ＬＣのマッチングについて説明する図である。図１７は代表ＬＣのマッチング条件及びマッチング基準について説明する図である。
【００４８】
まず、図９に示すように、端末装置１００の制御部７５３は入力装置７１０から代表ＬＣ作成画面を起動する指示を受け付けるまで待機する（ステップＳ３０１：ＮＯ）。制御部７５３は代表ＬＣ作成画面を起動する指示を受け付けると（ステップＳ３０１；ＹＥＳ）、代表ＬＣ作成画面を要求する第２の表示要求データを生成し、通信部７５２は制御部７５３が生成した第２の表示要求データをサーバ装置２００に向けて送信する。
【００４９】
一方、図１０に示すように、サーバ装置２００の代表ＬＣ作成部２５０は代表ＬＣ作成画面が要求されるまで待機する（ステップＳ４０１：ＮＯ）。代表ＬＣ作成部２５０は代表ＬＣ作成画面が要求されると（ステップＳ４０１：ＹＥＳ）、第２の画面データを送信する（ステップＳ４０２）。より詳しくは、代表ＬＣ作成部２５０は端末装置１００から送信された第２の表示要求データを受け付けると、端末装置１００に向けて第２の画面データを送信する。第２の画面データは代表ＬＣ作成画面を表すデータである。ステップＳ４０２の処理が完了すると、代表ＬＣ作成部２５０は設定データを受け付けるまで待機する（ステップＳ４０３：ＮＯ）。
【００５０】
図９に戻り、端末装置１００の通信部７５２はサーバ装置２００から送信された第２の画面データを受信すると（ステップＳ３０２）、表示装置７２０は代表ＬＣ作成画面を表示する（ステップＳ３０３）。より詳しくは、通信部７５２が第２の画面データを受信すると、制御部７５３は通信部７５２が受信した第２の画面データに基づいて表示装置７２０に代表ＬＣ作成画面を表示させる。これにより、図１１に示すように、表示装置７２０は代表ＬＣ作成画面を表示する。ステップＳ３０３の処理が完了すると、制御部７５３は設定データが入力されるまで待機する（ステップＳ３０４：ＮＯ）。
【００５１】
ここで、代表ＬＣ作成画面は、図１１に示すように、第４の領域ＡＲ４と第５の領域ＡＲ５と第６の領域ＡＲ６とを含んでいる。第４の領域ＡＲ４はアップロードするモデルＬＣのファイル名を指定する入力欄Ｂｘ１、代表ＬＣの名称を指定する入力欄Ｂｘ１、及び作成年度を入力する入力欄Ｂｘ１を含んでいる。例えば、参照ボタンＢｔ２が押下されると、制御部７５３はファイル記憶部７５１からモデルＬＣファイルを取得して、表示装置７２０に表示させる。これにより、モデルＬＣのファイル名を指定する入力欄Ｂｘ１にはモデルＬＣファイルのファイル名が表示される。第５の領域ＡＲ５は、モデルＬＣに基づいて実績ＬＣを抽出する際の条件を指定する領域である。例えば、月を選択する選択欄Ｂｘ２及び曜日を選択する選択欄Ｂｘ２に対してチェックを入力することにより対象期間として選択すると、選択された月及び曜日に関する実績ＬＣデータが抽出されて平均化され、代表ＬＣが作成される。尚、第５の領域ＡＲ５にその他の選択欄（不図示）を設けてもよい。第６の領域ＡＲ６は代表ＬＣと平均化した実績ＬＣとのマッチング条件及びマッチング基準を指定する領域である。第４の領域ＡＲ４と第５の領域ＡＲ５と第６の領域ＡＲ６に対して入力及び選択された内容の一部又は全部が設定データとしてサーバ装置２００に送信される。
【００５２】
図９に戻り、制御部７５３は設定データが入力されると（ステップＳ３０４：ＹＥＳ）、通信部７５２は設定データを送信する（ステップＳ３０５）。より詳しくは、図１１に示す代表ＬＣ作成画面に含まれる実行ボタンＢｔ３が押下されると、制御部７５３は設定データの入力状況を確認してから通信部７５２は設定データを送信する。一方、図１０に示すように、サーバ装置２００の代表ＬＣ作成部２５０は設定データを受け付けると（ステップＳ４０３：ＹＥＳ）、代表ＬＣデータを作成する（ステップＳ４０４）。より詳しくは、代表ＬＣ作成部２５０が設定データを受け付けると、代表ＬＣ作成部２５０は実績ＬＣ記憶部２２０から複数の需要家の実績ＬＣデータを抽出して需要家毎に日数で平均化し、設定データとして受け付けたモデルＬＣファイルのモデルＬＣデータと特徴を比較する。そして、代表ＬＣ作成部２５０はモデルＬＣデータとの類似性が所定の類似範囲に属する平均化した実績ＬＣデータを特定する。これにより、需要家毎に平均化した複数の実績ＬＣデータが得られる。代表ＬＣ作成部２５０は平均化した実績ＬＣデータを特定すると、特定した需要家毎の実績ＬＣデータを平均化して代表ＬＣデータを作成し、作成した代表ＬＣデータを代表ＬＣ記憶部２３０に格納する。
【００５３】
図１２を参照して具体的に説明すると、代表ＬＣ作成部２５０は第１の時間帯に限定して、第５の領域ＡＲ５（図１１参照）で選択された月及び曜日の日数で平均化した実績ＬＣデータによりそれぞれ表現される需要家別の実績ＬＣとモデルＬＣデータにより表現されるモデルＬＣの特徴を比較する。そして、代表ＬＣ作成部２５０はモデルＬＣとの類似性が所定の類似範囲に属する需要家別の実績ＬＣを特定する。代表ＬＣ作成部２５０は需要家別の実績ＬＣを特定すると、特定した需要家別の実績ＬＣを平均化して、図１３に示すように、代表ＬＣを作成する。代表ＬＣ作成部２５０によって作成された代表ＬＣを表す代表ＬＣデータが代表ＬＣ記憶部２３０に格納される。
【００５４】
尚、既に説明したモデルＬＣ作成画面（図８参照）において、例えば１個の時刻帯に対する電力使用量が入力され、残りの４７個の時刻帯に対する電力使用量が入力されなかった場合、図１４に示すように、１個の時刻帯に対する電力使用量が出現するモデルＬＣが作成される。このようなモデルＬＣと実績ＬＣの特徴を比較すると、この１個の時刻帯の電力使用量に類似する実績ＬＣが存在すればよいため、類似する実績ＬＣの数は増加する傾向にある。
【００５５】
逆に、モデルＬＣ作成画面（図８参照）において、例えば４８個の時刻帯に対する電力使用量が入力された場合、図１５に示すように、４８個の時刻帯に対する電力使用量が出現するモデルＬＣが作成される。このようなモデルＬＣと実績ＬＣの特徴を比較すると、４８個の時刻帯の電力使用量に類似する実績ＬＣが存在すればよいが、類似する実績ＬＣの数は減少する傾向にある。したがって、モデルＬＣ作成画面で入力される電力使用量の数が所定の数（例えば５個）以下であったり、所定の数（例えば４０個）以上であったりする場合、制御部７５３は入力された電力使用量の数が適切でない旨を警告する警告画面を表示装置７２０に表示させてもよい。
【００５６】
図１０に戻り、ステップＳ４０４の処理が完了すると、類似需要家特定部２６０は代表ＬＣデータと実績ＬＣデータをマッチングし（ステップＳ４０５）、類似需要家を特定する（ステップＳ４０６）。具体的には、図１６に示すように、代表ＬＣデータによって表現される代表ＬＣと第５の領域ＡＲ５（図１１参照）で選択された月及び曜日の実績ＬＣデータを需要家別に平均化することによって表現される各実績ＬＣを、第１の時間帯及び第２の時間帯を制限せずに全体でマッチングする。この際、図１７に示すように、代表ＬＣ作成画面（図１１参照）で設定された設定データ（具体的にはマッチング条件及びマッチング基準）を利用して、類似需要家特定部２６０は代表ＬＣと各実績ＬＣをマッチングする。
【００５７】
例えば、マッチング条件として代表ＬＣの電力使用量±０．５ｋＷｈ内が設定された場合、図１７に示すように、代表ＬＣの電力使用量から０．５ｋＷｈを減らした下限ＬＣと代表ＬＣの電力使用量から０．５ｋＷｈを増やした上限ＬＣを作成する。そして、類似需要家特定部２６０は作成した下限ＬＣと上限ＬＣの範囲内でマッチング基準を満足する実績ＬＣを特定する。例えば、時間帯「００：３０〜０６：００」から時間帯「１８：３０〜２４：００」までの４つの時間帯に対してそれぞれマッチング基準「９０％」、「７０％」、「６５％」、及び「９５％」が設定された場合、図１７に示すように、時間帯別にマッチング条件を満足する実績ＬＣを特定する。さらに、４８時限別電力使用量全体にマッチング基準「８５％」が設定された場合、図１７に示すように、全体としてマッチング条件を満足する実績ＬＣを特定する。
また、図１７は１日を６時間の幅で均等に４つの時間帯に区切った例であるが、時間帯の区切り方は均等に限られるものではなく、特徴を重視する時間帯をより細かく設定できるように時間帯を区切っても良い。
【００５８】
類似需要家特定部２６０は実績ＬＣを特定すると、特定した実績ＬＣと関連付けられた需要家を類似需要家として抽出して特定する。そして、類似需要家特定部２６０は類似需要家を特定すると、図１０に示すように、類似需要家と代表ＬＣデータと実績ＬＣデータを端末装置１００に向けて送信し（ステップＳ４０７）、処理を終了する。尚、類似需要家は需要家ＩＤと需要家名の少なくとも一方を含んでいる。
【００５９】
図９に戻り、類似需要家特定部２６０が類似需要家と代表ＬＣデータと実績ＬＣデータを送信すると、通信部７５２は類似需要家と代表ＬＣデータと実績ＬＣデータを受信する（ステップＳ３０６）。ステップＳ３０６の処理が完了すると、制御部７５３は通信部７５２が受信した類似需要家と代表ＬＣと実績ＬＣを表示装置７２０に表示させ（ステップＳ３０７）、処理を終了する。この結果、表示装置７２０は類似需要家と代表ＬＣデータによって表現される代表ＬＣと実績ＬＣデータによって表現される実績ＬＣとを表示する。例えば表示装置７２０は類似需要家として需要家ＩＤ、需要家名のほか、需要家の数を表示してもよい。
【００６０】
尚、制御部７５３は上述した代表ＬＣ作成画面内に類似需要家と代表ＬＣと実績ＬＣを表示させてもよいし、代表ＬＣ作成画面とは異なる別画面に類似需要家と代表ＬＣと実績ＬＣを区別可能に表示させてもよい。また、制御部７５３は類似需要家と代表ＬＣと実績ＬＣをそれぞれ異なる又は一部が異なる別画面に表示させてもよいし、類似需要家と代表ＬＣと実績ＬＣを１つの別画面に表示させてもよい。この結果、図１６を参照して説明した代表ＬＣや類似した需要家の実績ＬＣが表示装置７２０に表示される。
【００６１】
以上、本実施形態によれば、サーバ装置２００はモデルＬＣ作成部２４０と代表ＬＣ作成部２５０と類似需要家特定部２６０とを備えている。特に、モデルＬＣ作成部２４０は第１の時間帯と第１の時間帯における電力使用量の推移の指定とを受け付ける。代表ＬＣ作成部２５０は、複数の需要家の電力使用量の使用履歴を記憶した実績ＬＣ記憶部２２０を参照して、第１の時間帯において推移との類似性が所定の類似範囲に属する電力使用量の推移を示す需要家を特定する。これにより、電力使用量が類似する需要家を特定することができる。
【００６２】
以上、本発明の好ましい実施形態について詳述したが、本発明に係る特定の実施形態に限定されるものではなく、特許請求の範囲に記載された本発明の要旨の範囲内において、種々の変形・変更が可能である。
【符号の説明】
【００６３】
Ｓ  需要家特定システム
１００  端末装置
２００  サーバ装置
２１０  モデルＬＣ記憶部
２２０  実績ＬＣ記憶部
２３０  代表ＬＣ記憶部
２４０  モデルＬＣ作成部
２５０  代表ＬＣ作成部
２６０  類似需要家特定部
【図１】
2018036854.tif 000003
【図２】
2018036854.tif 000004
【図３】
2018036854.tif 000005
【図４】
2018036854.tif 000006
【図５】
2018036854.tif 000007
【図６】
2018036854.tif 000008
【図７】
2018036854.tif 000009
【図８】
2018036854.tif 000010
【図９】
2018036854.tif 000011
【図１０】
2018036854.tif 000012
【図１１】
2018036854.tif 000013
【図１２】
2018036854.tif 000014
【図１３】
2018036854.tif 000015
【図１４】
2018036854.tif 000016
【図１５】
2018036854.tif 000017
【図１６】
2018036854.tif 000018
【図１７】
2018036854.tif 000019